(57)【要約】  本発明は多入力多出力信号の伝送システム、装置及び方法を開示し、前記システムは、フィーダー分配システム、アクティブアクセスホスト及び複数のアクティブアクセススレーブを含み、前記システムは、Ｎ経路のアップ・ダウンリンク信号を並列伝送するために用いられ、ダウンリンク信号を伝送する時に、前記アクティブアクセスホストは、Ｎ−１経路のダウンリンク信号を周波数が互いに異なる信号に周波数変換させて、屋内分配システムにより前記アクティブアクセススレーブに送信し、前記アクティブアクセススレーブは、当該ダウンリンク信号を周波数復元変換してから送信し、アップリンク信号を伝送する時に、前記アクティブアクセスホストはＮ−１経路のアップリンク信号を周波数変換させて、前記屋内分配システムにより前記アクティブアクセスホストに送信し、前記アクティブアクセスホストは、当該アップリンク信号を周波数復元変換してから基地局又はＲＲＵに送信する。そのうち、Ｎは２以上の整数である。本発明の技術案では独立なフィーダー分配信号を利用して多入力多出力信号の伝送を行え、取り付けコストを低減できる。【選択図】図３
2014520492.tif 000002
【特許請求の範囲】
【請求項１】
多入力多出力信号伝送方法であって、
Ｎ経路の周波数が同じダウンリンク信号をＮ経路の周波数が互いに異なるダウンリンク信号に変調すること、及び
変調後のＮ経路の周波数が互いに異なるダウンリンク信号を結合した後、同一のフィーダー分配システムに送信して伝送させることを含み、
前記Ｎは正整数で、且つＮは２以上であることを特徴とする多入力多出力信号伝送方法。
【請求項２】
フィーダー分配システムによって伝送された前記Ｎ経路の周波数が互いに異なるダウンリンク信号を分割した後、Ｎ経路の周波数が同じ信号に復調し、前記Ｎ経路の周波数が同じ信号をそれぞれ多入力多出力ＭＩＭＯアンテナアレイにおけるＮ個のアレイ素子に送信して外部に送信させることを更に含むことを特徴とする請求項１に記載の方法。
【請求項３】
Ｎ経路の周波数が同じダウンリンク信号をＮ経路の周波数が互いに異なる信号に変調する前に、更に、
Ｎ経路の周波数が同じダウンリンク信号を増幅することで、Ｎ経路の周波数が同じダウンリンク信号における各経路のダウンリンク信号の電力を一定に保つことを含むことを特徴とする請求項１に記載の方法。
【請求項４】
前記ダウンリンク信号は、ＴＤ−ＬＴＥダウンリンク信号またはＦＤＤ−ＬＴＥダウンリンク信号であることを特徴とする請求項１または２に記載の方法。
【請求項５】
前記ダウンリンク信号は、ＴＤ−ＬＴＥダウンリンク信号であり、前記Ｎ経路の周波数が同じダウンリンク信号をＮ経路の周波数が互いに異なるダウンリンク信号に変調することは、
所定の同期信号源から取得される同期信号に従って、基地局から送信されるＮ経路の周波数が同じダウンリンク信号の、Ｎ経路の周波数が互いに異なるダウンリンク信号への変調を同期起動することを含むことを特徴とする請求項１に記載の方法。
【請求項６】
前記Ｎ経路の周波数が同じ信号をそれぞれＭＩＭＯアンテナアレイにおけるＮ本のアレイ素子に送信する前に、更に、
復調して得られたＮ経路の周波数が同じ信号を増幅することを含み、
前記Ｎ経路の周波数が同じ信号をそれぞれＭＩＭＯアンテナアレイにおけるＮ本のアレイ素子に送信することは、具体的に、
増幅後の前記Ｎ経路の周波数が同じ信号をそれぞれＭＩＭＯアンテナアレイにおけるＮ本のアレイ素子に送信することを含むことを特徴とする請求項２に記載の方法。
【請求項７】
分割後のＮ経路のダウンリンク信号をＮ経路の周波数が同じ信号に復調することは、具体的に、
所定の局部発振信号源から取得される局部発振信号を、信号復調を行う周波数基準として用い、分割後のＮ経路のダウンリンク信号をＮ経路の周波数が同じ信号に復調することを含むことを特徴とする請求項２に記載の方法。
【請求項８】
分割後のＮ経路のダウンリンク信号をＮ経路の周波数が同じ信号に復調することは、具体的に、
所定の同期信号源から取得される同期信号に従って、分割後のＮ経路のダウンリンク信号の、Ｎ経路の周波数が同じ信号への復調を同期起動することを含むことを特徴とする請求項２に記載の方法。
【請求項９】
多入力多出力信号伝送方法であって、
多入力多出力ＭＩＭＯアンテナアレイにおけるＮ本のアレイ素子がそれぞれ送信したＮ経路の周波数が同じアップリンク信号を受信すること、
受信されたＮ経路の周波数が同じアップリンク信号をＮ経路の周波数が互いに異なるアップリンク信号に変調すること、及び
変調後のＮ経路の周波数が互いに異なるアップリンク信号を結合した後、同一のフィーダー分配システムに送信して伝送させることを含み、
前記Ｎは正整数で、且つＮは２以上であることを特徴とする多入力多出力信号伝送方法。
【請求項１０】
同一のフィーダー分配システムによって伝送された周波数が互いに異なるＮ経路のアップリンク信号を受信すること、及び
受信された周波数が互いに異なるＮ経路のアップリンク信号を分割した後、Ｎ経路の周波数が同じ信号に復調し、前記Ｎ経路の周波数が同じ信号をそれぞれ基地局に送信することを更に含むことを特徴とする請求項９に記載の方法。
【請求項１１】
受信されたＮ経路の周波数が同じアップリンク信号をＮ経路の周波数が互いに異なるアップリンク信号に変調する前に、更に、
それぞれ受信されたＮ経路の周波数が同じアップリンク信号における各経路のアップリンク信号の電力を設定値に調整することを含むことを特徴とする請求項９に記載の方法。
【請求項１２】
変調後のＮ経路の周波数が互いに異なる信号をそれぞれ同一のフィーダー分配システムに送信して伝送させる前に、更に、
変調して得られたＮ経路の周波数が互いに異なるアップリンク信号を増幅することで、前記Ｎ経路の周波数が互いに異なるアップリンク信号における任意の２経路のアップリンク信号の間の電力値の差を設定値より小さくなるように調整することを含み、
変調後のＮ経路の周波数が互いに異なるアップリンク信号を結合した後、同一のフィーダー分配システムに送信して伝送させることは、具体的に、
増幅後のＮ経路の周波数が互いに異なるアップリンク信号を結合した後、同一のフィーダー分配システムに送信して伝送させることを含むことを特徴とする請求項９に記載の方法。
【請求項１３】
前記アップリンク信号は、ＴＤ−ＬＴＥダウンリンク信号またはＦＤＤ−ＬＴＥダウンリンク信号であることを特徴とする請求項９または１０に記載の方法。
【請求項１４】
前記アップリンク信号は、ＴＤ−ＬＴＥアップリンク信号であり、前記受信されたＮ経路の周波数が同じアップリンク信号をＮ経路の周波数が互いに異なるアップリンク信号に変調することは具体的に、
所定の同期信号源から取得される同期信号に従って、受信されたＮ経路の周波数が同じアップリンク信号の、Ｎ経路の周波数が互いに異なるアップリンク信号への変調を同期起動することを含むことを特徴とする請求項９または１０に記載の方法。
【請求項１５】
前記Ｎ経路の周波数が同じ信号をそれぞれ基地局に送信する前に、更に、
復調して得られたＮ経路の周波数が同じ信号を増幅することを含み、
前記Ｎ経路の周波数が同じ信号をそれぞれ基地局に送信することは、具体的に、
増幅後の前記Ｎ経路の周波数が同じ信号をそれぞれ基地局に送信することを含むことを特徴とする請求項１０に記載の方法。
【請求項１６】
多入力多出力信号伝送装置であって、少なくともＮ−１経路の第１ミキサ回路及び１つのマルチバンド結合器を含み、そのうち、
各経路の第１ミキサ回路は、それぞれ基地局が送信したＮ経路の周波数が同じダウンリンク信号における1経路を変調するために用いられ、異なる第１ミキサ回路によって変調されて得られるＮ経路のダウンリンク信号の周波数が互いに異なり、
マルチバンド結合器は、前記少なくともＮ−１経路の第１ミキサ回路によって変調されて得られるＮ経路の周波数が互いに異なるダウンリンク信号を結合した後、同一のフィーダー分配システムに送信して伝送させるために用いられ、
前記Ｎは正整数で、且つＮは２以上であることを特徴とする多入力多出力信号伝送装置。
【請求項１７】
前記装置が更に少なくともＮ−１個の第２増幅器を含み、そのうち、各経路の第１ミキサ回路が１つの第２増幅器によって基地局と接続され、
各々の第２増幅器が、基地局が送信したＮ経路の周波数が同じダウンリンク信号における１経路のダウンリンク信号を増幅し、当該経路のダウンリンク信号当該ダウンリンク信号の電力を一定に保つために用いられ、
各経路の第１ミキサ回路が、具体的に、自身に接続される第２増幅器で増幅処理された後の１経路のダウンリンク信号を変調するために用いられることを特徴とする請求項１６に記載の装置。
【請求項１８】
前記アップリンク信号は、ＴＤ−ＬＴＥダウンリンク信号またはＦＤＤ−ＬＴＥダウンリンク信号であることを特徴とする請求項１６に記載の装置。
【請求項１９】
前記ダウンリンク信号は、ＴＤ−ＬＴＥダウンリンク信号であり、当該装置は更に、１つの同期ユニットを含み、
前記同期ユニットは所定の同期信号源から同期信号を取得するために用いられ、
各経路の第１ミキサ回路は、それぞれ前記同期信号に従って、基地局が送信したＮ経路の周波数が同じダウンリンク信号における1経路に対する変調を同期起動するために用いられることを特徴とする請求項１８に記載の装置。
【請求項２０】
多入力多出力信号伝送装置であって、少なくともＮ−１経路の第２ミキサ回路及び１つのマルチバンド結合器を含み、そのうち、
マルチバンド結合器は、同一のフィーダー分配システムによって伝送されたＮ経路の周波数が互いに異なるアップリンク信号を受信し、受信されたＮ経路の周波数が互いに異なるアップリンク信号を分割し、分割後のＮ経路の周波数が互いに異なるアップリンク信号における少なくともＮ−１経路のアップリンク信号をそれぞれ前記少なくともＮ−１経路の第２ミキサ回路における異なる第２ミキサ回路に対応して送信するために用いられ、
各経路の第２ミキサ回路は、前記マルチバンド結合器から送信された１経路のアップリンク信号を復調し、復調後のアップリンク信号を基地局にアクセスさせるために用いられ、異なる第２ミキサ回路によって復調されて得られたＮ経路のアップリンク信号の周波数が同じであり、
前記Ｎは正整数で、且つＮは２以上であることを特徴とする多入力多出力信号伝送装置。
【請求項２１】
前記装置は更に、少なくともＮ−１個の第１増幅器を含み、各経路の第２ミキサ回路が１つの第１増幅器によって基地局と接続され、
各々の第１増幅器は、自身に接続される第２ミキサ回路によって変調された後のアップリンク信号を増幅してから基地局にアクセスさせるために用いられることを特徴とする請求項２０に記載の装置。
【請求項２２】
多入力多出力信号伝送装置であって、少なくともＮ−１経路の第１ミキサ回路及び１つのマルチバンド結合器を含み、そのうち、
マルチバンド結合器は、同一のフィーダー分配システムによって伝送するＮ経路の周波数が互いに異なるダウンリンク信号を受信し、受信されたＮ経路の周波数が互いに異なるダウンリンク信号を分割し、分割後のＮ経路の周波数が互いに異なるダウンリンク信号における少なくともＮ−１経路のダウンリンク信号をそれぞれ前記少なくともＮ−１経路の第１ミキサ回路における異なる第１ミキサ回路に対応して送信するために用いられ、
各経路の第１ミキサ回路は、前記マルチバンド結合器から送信された１経路のダウンリンク信号を復調し、復調後のダウンリンク信号を多入力多出力ＭＩＭＯアンテナアレイにおける１つのアレイ素子にアクセスさせるために用いられ、異なる第１ミキサ回路によって復調されて得られるＮ経路のダウンリンク信号の周波数が同じであり、
前記Ｎは正整数で、且つＮは２以上であることを特徴とする多入力多出力信号伝送装置。
【請求項２３】
前記装置は更に、少なくともＮ−１個の第１電力増幅器を含み、各経路の第１ミキサ回路が１つの第１電力増幅器によってＭＩＭＯアンテナアレイの１つのアレイ素子と接続され、
各々の第１電力増幅器は、自身に接続される第１ミキサ回路によって復調された後のダウンリンク信号を増幅してからＭＩＭＯアンテナアレイにおける１つのアレイ素子にアクセスさせることを特徴とする請求項２２に記載の装置。
【請求項２４】
多入力多出力信号伝送装置であって、少なくともＮ−１経路の第２ミキサ回路及び１つのマルチバンド結合器を含み、そのうち、
各経路の第２ミキサ回路は、ＭＩＭＯアンテナアレイにおける１つのアレイ素子が送信したＮ経路の周波数が同じアップリンク信号における1経路のアップリンク信号を変調するために用いられ、異なる第２ミキサ回路によって変調されて得られるＮ経路のアップリンク信号の周波数が互いに異なり、
マルチバンド結合器は、前記少なくともＮ−１経路の第２ミキサ回路によって変調されて得られるＮ経路の周波数が互いに異なるアップリンク信号を結合した後、同一のフィーダー分配システムに送信して伝送させるために用いられ、
前記Ｎは正整数で、且つＮは２以上であることを特徴とする多入力多出力の信号伝送装置。
【請求項２５】
前記装置は更に、少なくともＮ−１個の低雑音増幅器を含み、各経路の第２ミキサ回路が１つの低雑音増幅器によってＭＩＭＯアンテナアレイの１つのアンテナアレイ素子と接続され、
各々の低雑音増幅器は、自身に接続される１つのアンテナアレイ素子が受信した１経路のアップリンク信号を増幅し、当該経路のアップリンク信号の電力を設定値に調整するために用いられ、
各経路の第２ミキサ回路は、具体的に、自身に接続される低雑音増幅器で増幅処理した後のアップリンク信号を変調するために用いられることを特徴とする請求項２４に記載の装置。
【請求項２６】
前記装置は更に、少なくともＮ−１個の第２電力増幅器を含み、各経路の第２ミキサ回路が１つの第２電力増幅器によってマルチバンド結合器と接続され、
各々の第２電力増幅器は、自身に接続される第２ミキサ回路によって変調されて得られるアップリンク信号を増幅するために用いられ、異なる第２電力増幅器によってそれぞれ増幅されて得られるＮ経路の周波数が互いに異なるアップリンク信号における任意２経路のアップリンク信号間の電力値の差が設定値より小さく、
マルチバンド結合器は、前記少なくともＮ−１経路の第２電力増幅器によって増幅されて得られるＮ経路の周波数が互いに異なるアップリンク信号を結合した後、同一のフィーダー分配システムに送信して伝送させるために用いられることを特徴とする請求項２５に記載の装置。
【請求項２７】
多入力多出力信号伝送装置であって、Ｎ−１経路のホスト周波数変換モジュール及び１つのマルチバンド結合分割器を含み、
前記ホスト周波数変換モジュールは、ＲＲＵポートに対応して入力するダウンリンク信号を他の各経路の信号の周波数と互いに異なる信号に周波数変換して、マルチバンド結合分割器に送信するとともに、マルチバンド結合分割器からの、他の各経路のアップリンク信号の周波数と互いに異なるアップリンク信号を周波数が同じ信号に周波数復元変換してＲＲＵポートに送信するために用いられ、
そのうち、異なるホスト周波数変換モジュールは、異なる周波数変換の周波数に対応し、それが出力する周波数変換した後のダウンリンク信号が互いに異なる周波数を有し、それが処理するアップリンク信号が互いに異なる周波数を有し、
前記マルチバンド結合分割器は、Ｎ−１経路の周波数が互いに異なるダウンリンク信号及び周波数変換されないダウンリンク信号を１経路の信号に結合してフィーダー分配システムに入力してアクティブアクセススレーブに伝送させるとともに、フィーダー分配システムからのアップリンク信号を周波数で分割してから対応するホスト周波数変換モジュールに出力して処理させるために用いられ、
前記Ｎは正整数で、且つＮは２以上であることを特徴とする多入力多出力信号伝送装置。
【請求項２８】
前記多入力多出力信号は、ＴＤ−ＬＴＥ信号またはＦＤＤ−ＬＴＥ信号であることを特徴とする請求項２７に記載の装置。
【請求項２９】
前記ホスト周波数変換モジュールは、第１周波数変換回路、第２周波数変換回路、及び第１周波数変換回路と第２周波数変換回路の両端に接続される第１、第２アップ・ダウンリンク信号分離装置を含み、
前記第１周波数変換回路は、第１増幅器（８３３）及び第１ミキサ回路（８３４）を含み、ダウンリンク信号に対して周波数変換を行うために用いられ、
前記第２周波数変換回路は、第２ミキサ回路（８３６）及び第２増幅器を含み、アップリンク信号を周波数復元変換するために用いられ、
前記第１、第２アップ・ダウンリンク信号分離装置は、アップ・ダウンリンク信号を分離して、ダウンリンク信号を第１周波数変換回路に送信して出力し、アップリンク信号を第２周波数変換回路に送信して出力するために用いられることを特徴とする請求項２７に記載の装置。
【請求項３０】
前記第１、第２アップ・ダウンリンク信号分離装置は、高速スイッチまたはデュプレクサであることを特徴とする請求項２９に記載の装置。
【請求項３１】
多入力多出力信号伝送装置であって、マルチバンド結合分割器、Ｎ−１経路のスレーブ周波数変換モジュール及びＮ経路のアンテナを含み、
そのうち、各スレーブ周波数変換モジュールは異なる信号周波数に対応し、
マルチバンド結合分割器は、フィーダー分配システムからの信号を周波数で分割してから対応するスレーブ周波数変換モジュールに出力して処理させるとともに、Ｎ−１経路のスレーブ周波数変換モジュール及びアンテナからの異なる周波数を有する1経路のアップリンク信号を1経路に結合してＲＦ分配システムに出力して伝送させるために用いられ、
スレーブ周波数変換モジュールは、マルチバンド結合分割器からの他の各経路の信号周波数と異なるダウンリンク信号を周波数が同じダウンリンク信号送信周波数に周波数復元変換してアンテナ（５３）に送信させるとともに、更にアンテナが受信した同じ周波数を有するアッリンク信号を対応する他の各経路の信号と異なる周波数を有するアップリンク信号に周波数変換してマルチバンド結合分割器に出力して結合させるために用いられ、
前記Ｎは正整数で、且つＮは２以上であることを特徴とする多入力多出力信号伝送装置。
【請求項３２】
前記多入力多出力信号は、ＴＤ−ＬＴＥ信号またはＦＤＤ−ＬＴＥ信号であることを特徴とする請求項３１に記載の装置。
【請求項３３】
前記スレーブ周波数変換モジュールは第３周波数変換回路、第４周波数変換回路、及び第３周波数変換回路と第４周波数変換回路の両端に接続される第３、第４アップ・ダウンリンク信号分離装置を含み、
前記第３周波数変換回路は、第３ミキサ回路及び第３増幅器を含み、ダウンリンク信号を周波数復元変換するために用いられ、
前記第４周波数変換回路は、低雑音増幅器、第４ミキサ回路及び第４増幅器を含み、アンテナアレイ素子に対応して受信するアップリンク信号に対して周波数変換を行うために用いられ、
前記第３、第４アップ・ダウンリンク信号分離装置はダウンリンク信号を第３周波数変換回路に伝送して出力し、アップリンク信号を第４周波数変換回路に伝送して出力するために用いられることを特徴とする請求項３１に記載の装置。
【請求項３４】
前記第３、第４アップ・ダウンリンク信号分離装置は、高速スイッチまたはデュプレクサであることを特徴とする請求項３３に記載の装置。
【請求項３５】
多入力多出力信号伝送システムであって、１つのフィーダー分配システム、基地局と当該フィーダー分配システムにそれぞれ接続するアクティブアクセスホスト、及び当該フィーダー分配システムと多入力多出力ＭＩＭＯアンテナアレイに接続されるアクティブアクセススレーブを含み、そのうち、
前記アクティブアクセスホストは、基地局が送信したＮ経路の周波数が同じダウンリンク信号をＮ経路の周波数が互いに異なるダウンリンク信号に変調し、変調後のＮ経路の周波数が互いに異なるダウンリンク信号を結合してから、前記フィーダー分配システムに送信して伝送させ、当該フィーダー分配システムによって伝送されたＮ経路の周波数が互いに異なるアップリンク信号を受信し、前記Ｎ経路の周波数が互いに異なるアップリンク信号を分割してから、Ｎ経路の周波数が同じアップリンク信号に復調し、復調して得られたＮ経路の周波数が同じアップリンク信号を基地局にアクセスさせるために用いられ、
前記フィーダー分配システムは、前記アクティブアクセスホストとアクティブアクセススレーブとの間で信号伝送を行うために用いられ、
前記アクティブアクセススレーブは、当該フィーダー分配システムによって伝送されたＮ経路の周波数が互いに異なるダウンリンク信号を受信し、前記Ｎ経路の周波数が互いに異なるダウンリンク信号を分割してから、Ｎ経路の周波数が同じダウンリンク信号に復調し、復調して得られたＮ経路の周波数が同じダウンリンク信号をそれぞれＭＩＭＯアンテナアレイにおける異なるアレイ素子にアクセスさせ、ＭＩＭＯアンテナアレイにおけるＮ本のアレイ素子が受信したＮ経路の周波数が同じアップリンク信号をＮ経路の周波数が互いに異なるアップリンク信号に変調し、変調後のＮ経路の周波数が互いに異なるアップリンク信号を結合してから、前記フィーダー分配システムに送信して伝送させるために用いられ、
前記Ｎは正整数で、且つＮは２以上であることを特徴とする多入力多出力信号伝送システム。
【請求項３６】
多入力多出力信号伝送システムであって、フィーダー分配システム、それぞれ前記フィーダー分配システムの両端に接続されるアクティブアクセスホスト及び複数のアクティブアクセススレーブを含み、前記アクティブアクセスホスト及び前記アクティブアクセススレーブはＮ経路の多入力多出力アップ・ダウンリンク信号を並列伝送するために用いられ、
ダウンリンク信号を伝送する時に、前記アクティブアクセスホストはＮ−１経路のダウンリンク信号を周波数が互いに異なる信号に周波数変換し、前記フィーダー分配システムによって前記アクティブアクセススレーブに送信し、前記アクティブアクセススレーブが周波数変換された後のダウンリンク信号を同じ周波数に周波数復元変換してから送信し、
アップリンク信号を伝送する時に、前記アクティブアクセススレーブはＮ−１経路のアップリンク信号を周波数が互いに異なる信号に周波数変換し、前記フィーダー分配システムによって前記アクティブアクセスホストに送信し、前記アクティブアクセスホストが当該アップリンク信号を同じ周波数に周波数復元変換してから基地局に送信することを特徴とする多入力多出力信号伝送システム。
【発明の詳細な説明】
【技術分野】
【０００１】
本発明は無線通信技術分野に関し、特に多入力多出力（ＭＩＭＯ）信号の伝送方法、装置及びシステムに関する。
【背景技術】
【０００２】
多入力多出力（ｍｕｌｔｉ−ｉｎｐｕｔ−ｍｕｌｔｉ−ｏｕｔｐｕｔ，ＭＩＭＯ）技術は、送信端及び受信端においてそれぞれ複数の送信アンテナ及び複数の受信アンテナを使用し、無線電波信号を送信端及び受信端にある複数のアンテナによって送信及び受信し、これによって各ユーザのサービス品質（ビット誤り率又はデータレート）を改善することである。ＭＩＭＯアンテナシステムは従来の単一入力単一出力（ｓｉｎｇｌｅ−ｉｎｐｕｔ−ｓｉｎｇｌｅ−ｏｕｔｐｕｔ，ＳＩＳＯ）アンテナシステムに比べて、スペクトル利用率を向上でき、アンテナシステムが限られる無線周波数帯域下でレートがより高いデータサービスを伝送できるようになる。
【０００３】
３Ｇ移動通信技術進化バージョンとする長期進化（Ｌｏｎｇ  Ｔｅｒｍ  Ｅｖｏｌｕｔｉｏｎ,ＬＴＥ）技術も信号カバレッジの面でＭＩＭＯ技術を導入した。ＬＴＥ技術は二重モードによって周波数分割複信（ＦＤＤ）及び時分割複信（ＴＤＤ）の２種類に分けられる。そのうち、ＦＤＤ−ＬＴＥは、分離した２つの対称する周波数チャンネルにおいて受信と送信を行い、ガードバンドで受信と送信チャンネルを分離する。ＦＤＤはペアになる周波数を採用しなければならず、周波数に基づいてアップリンクとダウンリンクを区別し、その単一方向のリソースが時間的に連続する。ＦＤＤは、対称サービスをサポートする時に、アップ・ダウンリンク周波数スペクトルを十分に利用できるが、非対称サービスをサポートする時に、周波数スペクトルの利用率が大幅に降下する。一方、ＴＤＤは時間で受信と送信チャンネルを分離する。ＴＤ−ＬＴＥシステムにおいて、同一の周波数キャリアを用いる異なる時間スロットを受信及び送信してチャンネルのベアラーとし、その単一方向のリソースは時間的に連続せず、時間リソースは２つの方向で割り当てられる。ある時間帯において基地局から移動局に信号を送信し、別の時間において移動局から基地局に信号を送信し、基地局と移動局の間が一致協調してこそ順調に作動できる。
【０００４】
ＬＴＥシステムの屋内分配（indoor-distribution）場面を例として、図１はＳＩＳＯ技術のみに適用する従来の屋内カバレッジシステムの構造を示し、従来技術が独立な配線設計を採用し、屋内信号分配システム（フィーダー分配システム、feeder distribution system）１１及び単一の屋内カバレッジアンテナ１２で従来の屋内カバレッジシステムを構成し、ＬＴＥリモート無線ユニット（Ｒｅｍｏｔｅ  ＲＦ  Ｕｎｉｔ，ＲＲＵ）からのダウンリンク信号及び屋内カバレッジアンテナが受信したアップリンク信号はいずれも屋内信号分配システムによって伝送されることが分かる。
【０００５】
ＬＴＥシステムの屋内カバレッジシステムにＭＩＭＯアンテナ技術を導入することでシステム容量を大幅に向上させることができる。屋内分配場面下で、隣接する領域の干渉が比較的に小さいため、信号と干渉雑音との比（Ｓｉｇｎａｌ  ｔｏ  Ｉｎｔｅｒｆｅｒｅｎｃｅ  ｐｌｕｓ  Ｎｏｉｓｅ  Ｒａｔｉｏ，ＳＩＮＲ）はより高いレベルに達し、屋内環境の豊かな散乱、屈折条件のため、ＳＩＳＯアンテナシステムに比べてより高い伝送レートを有することができる。２経路のシステムとなるＭＩＭＯアンテナシステムを例とし、図２は従来の２経路のＭＩＭＯ屋内カバレッジシステムのシステムブロック図を示す。図２に示すように、前記システムは２つのＬＴＥ  ＲＲＵポートを含み、それぞれが２経路の独立する屋内信号分配システム２１及び２２に接続され、屋内信号分配システム２１及び２２はそれぞれ異なるアンテナ２３及び２４に接続され、これにより、２経路の独立するＭＩＭＯチャンネル及び独立するアンテナ２３、２４によって屋内カバレッジの２経路のＭＩＭＯの送受信を実現させる。
【０００６】
現在、ＬＴＥシステムにおけるＭＩＭＯアンテナシステム構築モードの大部分は既存の屋内カバレッジシステムに基づいて改造されたものであるが、既存の屋内カバレッジシステムはほとんどＳＩＳＯアンテナシステムを採用するため、従来の２経路のシステムの構築形態は、具体的に、下記の２つの方式を含む。
方式一では、ＬＴＥシステムにおいて２経路の屋内カバレッジシステムを独立に新設し、そのうち、２経路のシステムにおけるアンテナの実現形態は２本の単極性アンテナ又は１本の双極性アンテナであってもよく、アンテナは２本の単極性アンテナと１本の双極性アンテナのどちらかを採用することにかかわらず、いずれも２セットのフィーダー分配システムを新設する必要がある。
【０００７】
方式二では、ＬＴＥシステムにおいて１経路の屋内カバレッジシステムを新設し、結合器によって既存の屋内カバレッジシステムを別の１経路の屋内カバレッジシステムとして使用する。既存の単極性アンテナを双極性アンテナに交換しても、１セットのフィーダー分配システムを新設する必要がある。
【発明の概要】
【発明が解決しようとする課題】
【０００８】
したがって、従来の２経路のシステムの構築形態では、上記のいずれの方式を採用するかにかかわらず、双極性アンテナを採用したとしても、少なくとも１セットのフィーダー分配システムを新設する必要があり、また新しい設備を追加する必要があり、且つ少なくとも１セットのフィーダー分配システムを新設することの実現過程は比較的に複雑で、２経路のシステムの構築コストが比較的に高くなり且つ実現も複雑となり、ＭＩＭＯアンテナシステムがＭ経路のシステム（Ｍは整数で且つ２より大きい）であれば、２経路のシステムに比べて構築コストがより高くなり且つ実現も更に複雑となる。
【０００９】
本発明は独立する１経路のフィーダー分配システムを利用して多入力多出力信号を伝送する信号伝送システム、装置及び方法を提供することを目的とする。
【課題を解決するための手段】
【００１０】
本発明は多入力多出力信号伝送方法を開示し、当該方法は、
Ｎ経路の周波数が同じダウンリンク信号をＮ経路の周波数が互いに異なるダウンリンク信号に変調すること、及び
変調後のＮ経路の周波数が互いに異なるダウンリンク信号を結合させてから、同一のフィーダー分配システムに送信して伝送させることを含み、
前記Ｎは正整数で、且つＮは２以上であることを特徴とする。
【００１１】
好ましくは、前記方法は更に、
フィーダー分配システムによって伝送された前記Ｎ経路の周波数が互いに異なるダウンリンク信号を分割してから、Ｎ経路の周波数が同じ信号に復調し、前記Ｎ経路の周波数が同じ信号をそれぞれ多入力多出力ＭＩＭＯアンテナアレイにおけるＮ個のアレイ素子に送信して外部に送信させることを含む。
【００１２】
本発明は更に、多入力多出力信号伝送方法を開示し、当該方法は、
多入力多出力ＭＩＭＯアンテナアレイにおけるＮ本のアレイ素子によってそれぞれ送信されたＮ経路の周波数が同じアップリンク信号を受信すること、
受信されたＮ経路の周波数が同じアップリンク信号をＮ経路の周波数が互いに異なるアップリンク信号に変調すること、及び
変調後のＮ経路の周波数が互いに異なるアップリンク信号を結合させてから、同一のフィーダー分配システムに送信して伝送させることを含み、
前記Ｎは正整数で、且つＮは２以上であることにあることを特徴とする。
【００１３】
好ましくは、前記方法は更に、
同一のフィーダー分配システムによって伝送された周波数が互いに異なるＮ経路のアップリンク信号を受信すること、及び
受信された周波数が互いに異なるＮ経路のアップリンク信号を分割した後、Ｎ経路の周波数が同じ信号に復調し、前記Ｎ経路の周波数が同じ信号をそれぞれ基地局に送信することを含む。
【００１４】
本発明は更に、多入力多出力信号伝送装置を開示し、少なくともＮ−１経路の第１ミキサ回路及び１つのマルチバンド結合器（multi-band combiner）を含み、そのうち、
各経路の第１ミキサ回路は、それぞれ基地局が送信したＮ経路の周波数が同じダウンリンク信号における1経路を変調するために用いられ、異なる第１ミキサ回路によって変調されて得られるＮ経路のダウンリンク信号の周波数が互いに異なり、
マルチバンド結合器は、前記少なくともＮ−１経路の第１ミキサ回路によって変調されて得られるＮ経路の周波数が互いに異なるダウンリンク信号を結合した後、同一のフィーダー分配システムに送信して伝送させるために用いられ、
前記Ｎは正整数で、且つＮは２以上である。
【００１５】
本発明は更に、多入力多出力信号伝送装置を開示し、当該装置は、少なくともＮ−１経路の第２ミキサ回路及び１つのマルチバンド結合器を含み、そのうち、
マルチバンド結合器は、同一のフィーダー分配システムによって伝送されたＮ経路の周波数が互いに異なるアップリンク信号を受信し、受信されたＮ経路の周波数が互いに異なるアップリンク信号を分割し、分割後のＮ経路の周波数が互いに異なるアップリンク信号における少なくともＮ−１経路のアップリンク信号をそれぞれ前記少なくともＮ−１経路の第２ミキサ回路における異なる第２ミキサ回路に対応して送信するために用いられ、  
各経路の第２ミキサ回路は、前記マルチバンド結合器から送信された１経路のアップリンク信号を復調し、復調後のアップリンク信号を基地局にアクセスさせるために用いられ、異なる第２ミキサ回路によって復調されて得られるＮ経路のアップリンク信号の周波数が同じであり、
前記Ｎは正整数で、且つＮは２以上であることを特徴とする。
【００１６】
本発明は更に、多入力多出力信号伝送装置を開示し、当該装置は、少なくともＮ−１経路の第１ミキサ回路及び１つのマルチバンド結合器を含み、そのうち、
マルチバンド結合器は、同一のフィーダー分配システムによって伝送されたＮ経路の周波数が互いに異なるダウンリンク信号を受信し、受信されたＮ経路の周波数が互いに異なるダウンリンク信号を分割し、分割後のＮ経路の周波数が互いに異なるダウンリンク信号における少なくともＮ−１経路のダウンリンク信号をそれぞれ前記少なくともＮ−１経路の第１ミキサ回路における異なる第１ミキサ回路に対応して送信するために用いられ、
各経路の第１ミキサ回路は、前記マルチバンド結合器から送信された１経路のダウンリンク信号を復調し、復調後のダウンリンク信号を多入力多出力ＭＩＭＯアンテナアレイにおける１つのアレイ素子にアクセスさせるために用いられ、異なる第１ミキサ回路によって復調されて得られるＮ経路のダウンリンク信号の周波数が同じであり、
前記Ｎは正整数で、且つＮは２以上であることを特徴とする。
【００１７】
本発明は更に、多入力多出力の信号伝送装置を開示し、当該装置は、少なくともＮ−１経路の第２ミキサ回路及び１つのマルチバンド結合器を含み、そのうち、
各経路の第２ミキサ回路は、ＭＩＭＯアンテナアレイにおける１つのアレイ素子が送信したＮ経路の周波数が同じアップリンク信号における1経路のアップリンク信号を変調するために用いられ、異なる第２ミキサ回路によって変調されて得られるＮ経路のアップリンク信号の周波数が互いに異なり、
マルチバンド結合器は、前記少なくともＮ−１経路の第２ミキサ回路によって変調されて得られるＮ経路の周波数が互いに異なるアップリンク信号を結合した後、同一のフィーダー分配システムに送信して伝送させるために用いられ、
前記Ｎは正整数で、且つＮは２以上であることを特徴とする。
【００１８】
本発明は更に、多入力多出力信号伝送装置を開示し、Ｎ−１経路のホスト周波数変換モジュール及び１つのマルチバンド結合分割器を含み、
前記ホスト周波数変換モジュールは、ＲＲＵポートに対応して入力されたダウンリンク信号を他の各経路の信号の周波数と互いに異なる信号に周波数変換してマルチバンド結合分割器に送信するとともに、マルチバンド結合分割器からの他の各経路のアップリンク信号の周波数と互いに異なるアップリンク信号を周波数が同じ信号に周波数復元、変換してＲＲＵポートに送信するために用いられ、
そのうち、異なるホスト周波数変換モジュールは異なる周波数変換の周波数に対応し、それが出力する周波数変換した後のダウンリンク信号が互いに異なる周波数を有し、それが処理するアップリンク信号が互いに異なる周波数を有し、
前記マルチバンド結合分割器は、Ｎ−１経路の周波数が互いに異なるダウンリンク信号及び周波数変換されないダウンリンク信号を１経路の信号に結合してフィーダー分配システムに入力してアクティブアクセススレーブに伝送させるとともに、更にフィーダー分配システムからのアップリンク信号を周波数で分割してから対応するホスト周波数変換モジュールに出力して処理させるために用いられ、
前記Ｎは正整数で、且つＮは２以上である。
【００１９】
本発明は更に、多入力多出力信号伝送装置を開示し、マルチバンド結合分割器、Ｎ−１経路のスレーブ周波数変換モジュール及びＮ経路のアンテナを含み、
そのうち、各スレーブ周波数変換モジュールは異なる信号周波数に対応し、
マルチバンド結合分割器は、フィーダー分配システムからの信号を周波数で分割してから対応するスレーブ周波数変換モジュールに出力して処理させるとともに、Ｎ−１経路のスレーブ周波数変換モジュール及びアンテナからの異なる周波数を有する1経路のアップリンク信号を1経路に結合してＲＦ分配システムに出力して伝送させるために用いられ、
スレーブ周波数変換モジュールは、マルチバンド結合分割器からの他の各経路の信号の周波数と異なるダウンリンク信号を周波数が同じダウンリンク信号送信周波数に周波数復元、変換してアンテナ５３に送信させるとともに、更にアンテナが受信した同じ周波数を有するアップリンク信号を対応する他の各経路の信号と異なる周波数を有するアップリンク信号に周波数変換してマルチバンド結合分割器に出力して結合させるために用いられ、
前記Ｎは正整数で、且つＮは２以上である。
【００２０】
本発明は更に、多入力多出力信号伝送システムを開示し、当該システムは１つのフィーダー分配システム、基地局と当該フィーダー分配システムにそれぞれ接続するアクティブアクセスホスト、及び当該フィーダー分配システムと多入力多出力ＭＩＭＯアンテナアレイと接続するアクティブアクセススレーブを含み、そのうち、
前記アクティブアクセスホストは、基地局が送信したＮ経路の周波数が同じダウンリンク信号をＮ経路の周波数が互いに異なるダウンリンク信号に変調し、変調後のＮ経路の周波数が互いに異なるダウンリンク信号を結合してから、前記フィーダー分配システムに送信して伝送させ、当該フィーダー分配システムによって伝送されたＮ経路の周波数が互いに異なるアップリンク信号を受信し、前記Ｎ経路の周波数が互いに異なるアップリンク信号を分割してから、Ｎ経路の周波数が同じアップリンク信号に復調し、復調して得られるＮ経路の周波数が同じアップリンク信号を基地局にアクセスさせるために用いられ、
前記フィーダー分配システムは、前記アクティブアクセスホストとアクティブアクセススレーブとの間で信号伝送を行うために用いられ、
前記アクティブアクセススレーブは、当該フィーダー分配システムによって伝送されたＮ経路の周波数が互いに異なるダウンリンク信号を受信し、前記Ｎ経路の周波数が互いに異なるダウンリンク信号を分割してから、Ｎ経路の周波数が同じダウンリンク信号に復調し、復調して得られるＮ経路の周波数が同じダウンリンク信号をそれぞれＭＩＭＯアンテナアレイにおける異なるアレイ素子にアクセスさせ、ＭＩＭＯアンテナアレイにおけるＮ本のアレイ素子が受信したＮ経路の周波数が同じアップリンク信号をＮ経路の周波数が互いに異なるアップリンク信号に変調し、変調後のＮ経路の周波数が互いに異なるアップリンク信号を結合してから、前記フィーダー分配システムに送信して伝送させるために用いられ、
前記Ｎは正整数で、且つＮは２以上であることを特徴とする。
【発明の効果】
【００２１】
本発明はＬＴＥネットワークに基づいて、従来の屋内カバレッジシステムにアクティブアクセスホストを増設し、従来の屋内カバレッジアンテナをアクティブアクセススレーブに取り換えることにより、従来の屋内カバレッジシステムの配線に対して何の変更も行わずに、簡単、便利にＦＤＤ−ＬＴＥ及びＴＤ−ＬＴＥのＭＩＭＯ技術を実現でき、ＬＴＥ技術の優位性を十分に発揮することができる。また、屋内信号分配の品質を大幅に向上させ、構築コストを低減させることができる。
【図面の簡単な説明】
【００２２】
【図１】従来技術においてＳＩＳＯ技術に基づく屋内信号分配システムを示すシステムブロック図である。
【図２】従来技術において２経路のＭＩＭＯ技術に基づく屋内信号分配システムを示すシステムブロック図である。
【図３】本発明の第１の実施例に係るＭＩＭＯ信号伝送システムを示すシステムブロック図である。
【図４】本発明の第１の実施例に係るＭＩＭＯ信号伝送システムにおけるアクティブアクセスホストを示すブロック図である。
【図５】本発明の第１の実施例に係るＭＩＭＯ信号伝送システムにおけるアクティブアクセススレーブを示すブロック図である。
【図６】本発明の第２の実施例に係るＴＤ−ＬＴＥに基づくＭＩＭＯ信号伝送システムのアクティブアクセスホストを示すブロック図である。
【図７】本発明の第２の実施例に係るＴＤ−ＬＴＥに基づくＭＩＭＯ倍号伝送システムのアクティブアクセスホストを示すブロック図である。
【図８】本発明の第３の実施例に係るＦＤＤ−ＬＴＥに基づく２経路のＭＩＭＯ信号伝送システムを示すシステムブロック図である。
【図９】本発明の第４の実施例に係るダウンリンクＭＩＭＯ信号伝送方法を示すフローチャートである。
【図１０】本発明の第４の実施例に係るアップリンクＭＩＭＯ信号伝送方法を示すフローチャートである。
【発明を実施するための形態】
【００２３】
以下、図面を参照しながら、具体的な実施形態により本発明の技術案をさらに説明する。
【００２４】
図３は、本発明の第１の実施例に係るＭＩＭＯ信号伝送システムを示すシステムブロック図である。図３に示すように、前記ＭＩＭＯ信号伝送システムは、１つのフィーダー分配システム３２、基地局と当該フィーダー分配システムにそれぞれ接続するアクティブアクセスホスト３１、及び当該フィーダー分配システム３２と多入力多出力ＭＩＭＯアンテナアレイに接続するアクティブアクセススレーブ３３を含み、そのうち、既存システムにおける屋内分配アンテナの機能の代わりにアクティブアクセススレーブ３３を採用し、本願書類において、前記アクティブアクセススレーブ３３をアクティブアンテナ３３とも称する。
【００２５】
前記アクティブアクセスホスト３１は、基地局が送信したＮ経路の周波数が同じダウンリンク信号をＮ経路の周波数が互いに異なるダウンリンク信号に変調し、変調後のＮ経路の周波数が互いに異なるダウンリンク信号を結合してから、前記フィーダー分配システムに送信して伝送させ、及び当該フィーダー分配システムによって伝送されたＮ経路の周波数が互いに異なるアップリンク信号を受信し、前記Ｎ経路の周波数が互いに異なるアップリンク信号を分割してから、Ｎ経路の周波数が同じアップリンク信号に復調し、復調して得られたＮ経路の周波数が同じアップリンク信号をＲＲＵにアクセスし、更にＲＲＵによって基地局にアクセスされるために用いられる。
【００２６】
前記フィーダー分配システム３２は、前記アクティブアクセスホストとアクティブアクセススレーブとの間で信号伝送を行うために用いられる。
【００２７】
前記アクティブアクセススレーブ３３は、当該フィーダー分配システムによって伝送されたＮ経路の周波数が互いに異なるダウンリンク信号を受信し、前記Ｎ経路の周波数が互いに異なるダウンリンク信号を分割してから、Ｎ経路の周波数が同じダウンリンク信号に復調し、復調して得られたＮ経路の周波数が同じダウンリンク信号をそれぞれＭＩＭＯアンテナアレイにおける異なるアレイ素子にアクセスさせ、ＭＩＭＯアンテナアレイにおけるＮ本のアレイ素子が受信したＮ経路の周波数が同じアップリンク信号をＮ経路の周波数が互いに異なるアップリンク信号に変調し、変調後のＮ経路の周波数が互いに異なるアップリンク信号を結合してから、前記フィーダー分配システムに送信して伝送するために用いられ、前記Ｎは正整数で、且つＮは２以上である。
【００２８】
前記アクティブアクセスホストは更に、同期ユニット及び同期送信ユニットを含み、そのうち、
前記同期ユニットは、同期信号を取得し、当該同期信号を利用して当該アクティブアクセスホストアップリンク信号又はダウンリンク信号の処理を同期起動するために用いられ、
同期送信ユニットは、前記同期ユニットが取得した同期信号をアクティブアクセススレーブに送信するために用いられ、
前記アクティブアクセスホストは更に、同期受信ユニットを含み、
同期受信ユニットは、アクティブアクセスホストが送信した同期信号を受信し、当該同期信号を利用して当該アクティブアクセススレーブのアップリンク信号又はダウンリンク信号の処理を同期起動するために用いられる。
【００２９】
前記アクティブアクセスホストは更に、局部発振ユニット及び局部発振送信ユニットを含み、そのうち、
局部発振ユニットは、局部発振信号を取得し、当該局部発振信号を当該アクティブアクセスホストが信号変調及び復調を行う時の周波数基準として用いるためのものであり、
局部発振送信ユニットは、前記局部発振ユニットが取得した局部発振信号をアクティブアクセススレーブに送信するために用いられ、
前記アクティブアクセススレーブは更に、局部発振受信ユニットを含み、
局部発振受信ユニットは、アクティブアクセスホストが送信した局部発振信号を受信し、当該局部発振信号を当該アクティブアクセススレーブが信号変調及び復調を行う時の周波数基準として用いるためのものである。
【００３０】
本実施例では、アクティブアクセスホスト及びアクティブアクセススレーブはいずれも標準的なＮ型ＲＦポートによってフィーダー分配システムと接続することができる。
【００３１】
アクティブアクセスホストにアクセスされた信号はＴＤ−ＬＴＥシステムからのものであってもよく、ＦＤＤ−ＬＴＥシステム又は他のＭＩＭＯ技術をサポートする移動通信システムからのものであってもよい。前記他のシステムは任意の移動通信システム、例えば、ＧＳＭ（登録商標）、ＴＤ−ＳＣＤＭＡ、ＣＤＭＡ、ＷＣＤＭＡ（登録商標）システムなどであってもよい。
【００３２】
本実施例では、前記システムは１つのアクティブアクセスホスト、１つのフィーダー分配システム及び複数のアクティブアクセススレーブを含んでもよい。
【００３３】
図４は本発明の第１の実施例に係るＭＩＭＯ信号伝送システムにおけるアクティブアクセスホストを示すブロック図である。図４に示すように、前記アクティブアクセスホスト３１は少なくともＮ−１経路のホスト周波数変換モジュール４１及び１つのマルチバンド結合分割器４２を含んでもよい。
【００３４】
ホスト周波数変換モジュール４１は、ＬＴＥ  ＲＲＵポートに対応して入力したダウンリンク信号を、他の各経路の信号の周波数と異なるＲＦ信号に周波数変換して、マルチバンド結合分割器に送信するとともに、マルチバンド結合分割器からのアップリンク信号を、ＬＴＥ  ＲＲＵポートに対応して受信可能な周波数のＲＦ信号に周波数変換して、ＬＴＥ  ＲＲＵポートに送信する。異なる経路のホスト周波数変換モジュール４１は、異なる周波数変換の周波数に対応し、それが出力するダウンリンク信号は互いに異なる周波数を有する。これにより、Ｎ−１経路のホスト周波数変換モジュール４１は、ＬＴＥ  ＲＲＵポート１〜Ｎ−１からの周波数が同じ信号を、Ｎ−１経路の周波数が互いに異なるダウンリンク信号に変調して、周波数変換を行っていないＬＴＥ  ＲＲＵポートＮが出力した信号と共にＮ経路の周波数が互いに異なるダウンリンク信号を構成して、マルチバンド結合分割器４２に入力する。この実施例では、更に、他のシステムのダウンリンク信号を独立に１経路としてマルチバンド結合分割器４２に入力することができる。
【００３５】
マルチバンド結合分割器４２は、Ｎ経路の周波数が互いに異なるダウンリンク信号を１経路の信号に結合してフィーダー分配システムに入力してアクティブアクセススレーブに伝送させるとともに、更にフィーダー分配システムからのアップリンク信号を周波数で分割してから対応するホスト周波数変換モジュール４１に出力して処理させるために用いられる。
【００３６】
図５は、本発明の第１の実施例に係るＭＩＭＯ信号伝送システムにおけるアクティブアクセススレーブを示すブロック図である。アクティブアクセススレーブ３３は図５に示す通りである。
【００３７】
図６は、本発明の第２の実施例が提供するＴＤ−ＬＴＥに基づく多入力多出力の信号伝送システムのアクティブアクセスホストを示すブロック図である。図６に示すように、図６において、ＴＤＤ  ＭＩＭＯに基づく信号がＴＤ−ＬＴＥシステムからのものであることを例として説明し、ＴＤ−ＬＴＥシステムはリモート無線ユニット（Ｒａｄｉｏ  Ｒｅｍｏｔｅ  Ｕｎｉｔ，ＲＲＵ）ポートによって信号伝送を行うことができ、結合器を利用して伝送しようとする信号に対して減衰処理を行うことができる。もちろん、図３に示すように、当該セットのフィーダー分配システムで伝送された信号は他のシステムからのものであってもよく、前記他のシステムは、グローバル移動通信システム（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）、時分割複信−同期符号分割多元接続（ＴｉｍｅＤｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ，ＴＤ−ＳＣＤＭＡ）、符号分割多元接続（Ｃｏｄｅ  ＤｉｖｉｓｉｏｎＭｕｌｔｉｐｌｅ  Ａｃｃｅｓｓ，ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）システム等の任意の移動通信システムであってもよい。各システムに使用される周波数が異なるため、ＴＤ−ＬＴＥシステムに伝送しようとする少なくともＮ−１経路の周波数が同じ信号に対して周波数変換処理を行った後、マルチバンド結合器が複数のシステムからの信号に対して同時に結合処理を行うことができる。当該アクティブアクセスホストは少なくともＮ−１経路の第１ミキサ回路６１１及び１つのマルチバンド結合器６１２を含んでもよい。
【００３８】
各経路の第１ミキサ回路６１１は、それぞれ基地局がＲＲＵによって送信したＮ経路の周波数が同じダウンリンク信号における1経路を変調するために用いられ、異なる第１ミキサ回路によって変調されて得られるＮ経路のダウンリンク信号の周波数が互いに異なり、マルチバンド結合分割器６２は、前記少なくともＮ−１経路の第１ミキサ回路によって変調されて得られるＮ経路の周波数が互いに異なるダウンリンク信号を結合した後、同一のフィーダー分配システムに送信して伝送させるために用いられ、前記Ｎは正整数で、且つＮは２以上である。
【００３９】
前記装置は更に、少なくともＮ−１個の第２増幅器６１５を含み、そのうち各経路の第１ミキサ回路６１１は１つの第２増幅器６１５によってＲＲＵと接続され、
各第２増幅器６１５は、基地局が送信したＮ経路の周波数が同じダウンリンク信号における１経路のダウンリンク信号を増幅して、当該経路のダウンリンク信号の電力を一定に保つために用いられ、
各経路の第１ミキサ回路６１１は、具体的に、自身に接続する第２増幅器６１５が増幅処理した後の１経路のダウンリンク信号を変調するために用いられる。
【００４０】
当該装置は更に、少なくともＮ−１本の第２ミキサ回路６１３を含み、
マルチバンド結合分割器６２は更に、同一のフィーダー分配システムによって伝送されたＮ経路の周波数が互いに異なるアップリンク信号を受信し、受信されたＮ経路の周波数が互いに異なるアップリンク信号を分割し、分割後のＮ経路の周波数が互いに異なるアップリンク信号における少なくともＮ−１経路のアップリンク信号をそれぞれ前記少なくともＮ−１経路の第２ミキサ回路における異なる第２ミキサ回路に対応して送信するために用いられ、
各経路の第２ミキサ回路６１３は、前記マルチバンド結合器から送信された１経路のアップリンク信号を復調し、復調後のアップリンク信号を基地局にアクセスするために用いられ、異なる第２ミキサ回路によって復調されて得られるＮ経路のアップリンク信号の周波数は同じである。
【００４１】
前記装置は更に、少なくともＮ−１個の第１増幅器６１４を含み、各経路の第２ミキサ回路６１３は１つの第１増幅器６１４によってＲＲＵと接続され、各々の第１増幅器６１４は、自身に接続する第２ミキサ回路によって変調された後のアップリンク信号を増幅してからＲＲＵにアクセスする。
【００４２】
前記装置は、少なくとも２Ｎ−２個の高速スイッチ６１０を含み、各高速スイッチは、第１ミキサ回路６１１と第２増幅器６１５からなるダウンリンク信号周波数変換リンク、及び第２ミキサ回路６１３と第１増幅器６１４からなるアップリンク信号周波数変換リンクの両端に接続される。ＴＤ−ＬＴＥが時分割複信方式でアップ・ダウンリンク信号の二重伝送を実現し、高速スイッチ６１０がアップ・ダウンリンク信号の占める時間スロットによって切替を行うために用いられる故、アップ・ダウンリンク信号を異なる時間スロットにおいて、それぞれ対応するアップリンク信号周波数変換リンク又はダウンリンク信号周波数変換リンクに入らせて周波数変換処理を行う。
【００４３】
前記装置は更に、同期ユニット６３を含んでもよく、
前記同期ユニット６３は同期信号を取得し、当該同期信号を利用して当該装置のアップリンク信号又はダウンリンク信号の処理を同期起動するために用いられる。
【００４４】
各経路の第１ミキサ回路６１１は、それぞれ具体的に、前記同期信号に基づいて、基地局が送信したＮ経路の周波数が同じダウンリンク信号における1経路に対しての変調を同期起動するために用いられる。
【００４５】
各経路の第２ミキサ回路６１３は、具体的に、前記同期信号を利用して、前記マルチバンド結合器から送信された１経路のアップリンク信号に対しての復調を同期起動するために用いられる。
【００４６】
前記装置は更に、同期送信ユニット６４を含み、
同期送信ユニット６４は、前記同期ユニットが取得した同期信号を他の多入力多出力の信号伝送実現装置に送信するために用いられる。
【００４７】
同期送信ユニット６４は、具体的に、前記同期ユニットが取得した同期信号を変調してから他の多入力多出力の信号伝送実現装置に送信するために用いられる。
【００４８】
前記装置は更に、局部発振ユニット６５を含み、
局部発振ユニット６５は、局部発振信号を取得し、当該局部発振信号を当該アクティブアクセスホストが信号変調及び復調を行う時の周波数基準として用いるためのものである。
【００４９】
各経路の第１ミキサ回路６１１は、それぞれ具体的に、前記局部発振信号を信号変調を行う周波数の基準として用い、基地局が送信したＮ経路の周波数が同じダウンリンク信号における1経路に対して変調を行うために用いられる。
【００５０】
各経路の第２ミキサ回路６１３は、具体的に、前記局部発振信号を信号復調を行う周波数の基準として用い、前記マルチバンド結合器から送信された１経路のアップリンク信号を復調するために用いられる。
【００５１】
前記装置は更に、局部発振送信ユニット６６を含み、
局部発振送信ユニット６６は、前記局部発振ユニットが取得した局部発振信号を他の多入力多出力の信号伝送実現装置に送信するために用いられる。
【００５２】
局部発振送信ユニット６６は、具体的に、前記局部発振ユニットが取得した局部発振信号を増幅、フィルタリングしてから他の多入力多出力の信号伝送実現装置に送信するために用いられる。
【００５３】
図６に示すように、前記装置は更に、監視ユニット６７を含んでもよく、監視ユニットは統合ネットワーク管理プラットフォームと接続され、北向きインターフェースが関連装置の各種の監視情報を報告でき、南向きインターフェースが統合ネットワーク管理プラットフォームから下された制御命令を受信して、関連装置に対して相応する設定を行うことができる。
【００５４】
図７は本発明の第２の実施例に係るＴＤ−ＬＴＥに基づく多入力多出力の信号伝送システムのアクティブアクセススレーブを示すブロック図である。図７に示すように、当該装置は、少なくともＮ−１経路の第１ミキサ回路７２１及び１つのマルチバンド結合器７２２を含み、
マルチバンド結合器７２２は、同一のフィーダー分配システムによって伝送されたＮ経路の周波数が互いに異なるダウンリンク信号を受信し、受信されたＮ経路の周波数が互いに異なるダウンリンク信号を分割し、分割後のＮ経路の周波数が互いに異なるダウンリンク信号における少なくともＮ−１経路のダウンリンク信号をそれぞれ前記少なくともＮ−１経路の第１ミキサ回路における異なる第１ミキサ回路に対応して送信するために用いられ、各経路の第１ミキサ回路２１は前記マルチバンド結合器から送信された１経路のダウンリンク信号を復調し、復調後のダウンリンク信号を多入力多出力ＭＩＭＯアンテナアレイにおける１つのアレイ素子にアクセスするために用いられ、異なる第１ミキサ回路によって復調されて得られたＮ経路のダウンリンク信号の周波数が同じであり、前記Ｎは正整数で、且つＮは２以上である。
【００５５】
前記装置は更に、少なくともＮ−１個の第１電力増幅器７２４を含み、各経路の第１ミキサ回路７２１は１つの第１電力増幅器７２４によってＭＩＭＯアンテナアレイの１つのアレイ素子と接続され、
各々の第１電力増幅器７２４は、自身に接続する第１ミキサ回路によって復調された後のダウンリンク信号を増幅してからＭＩＭＯアンテナアレイにおける１つのアレイ素子にアクセスするためのものである。
【００５６】
当該装置は更に、少なくともＮ−１経路の第２ミキサ回路７２３を含み、
各経路の第２ミキサ回路７２３は、ＭＩＭＯアンテナアレイにおける１つのアレイ素子が送信したＮ経路の周波数が同じアップリンク信号における1経路のアップリンク信号を変調するために用いられ、異なる第２ミキサ回路によって変調されて得られるＮ経路のアップリンク信号の周波数が互いに異なり、
マルチバンド結合器７２２は更に、前記少なくともＮ−１経路の第２ミキサ回路によって変調されて得られるＮ経路の周波数が互いに異なるアップリンク信号を結合してから、同一のフィーダー分配システムに送信して伝送するために用いられる。
【００５７】
前記装置は更に、少なくともＮ−１個の低雑音増幅器７２８を含み、各経路の第２ミキサ回路２３は１つの低雑音増幅器７２８によってＭＩＭＯアンテナアレイの１つのアンテナアレイ素子と接続され、
各々の低雑音増幅器７２８は、自身に接続する１つのアンテナアレイ素子が受信した１経路のアップリンク信号を増幅し、当該ルートのアップリンク信号の電力を設定値に調整するために用いられ、
各経路の第２ミキサ回路７２３は、具体的に、自身に接続する低雑音増幅器が増幅処理した後のアップリンク信号を変調するために用いられる。
【００５８】
前記装置は更に、少なくともＮ−１個の第２電力増幅器７２７を含み、各経路の第２ミキサ回路７２３は１つの第２電力増幅器７２７によってマルチバンド結合器と接続され、
各々の第２電力増幅器７２７は、自身に接続する第２ミキサ回路によって変調されて得られたアップリンク信号を増幅するために用いられ、異なる第２電力増幅器によってそれぞれ増幅されて得られたＮ経路の周波数が互いに異なるアップリンク信号における任意２経路のアップリンク信号間の電力差の値が設定値より小さく、
マルチバンド結合器７２２は、具体的に、前記少なくともＮ−１経路の第２電力増幅器によって増幅されて得られたＮ経路の周波数が互いに異なるアップリンク信号を結合してから、同一のフィーダー分配システムに送信して伝送させるために用いられる。
【００５９】
本実施例では、低雑音増幅器及び第２電力増幅器が協同に電力調整を行うと見なすことができ、限定されたゲイン範囲内にゲイン調整によって出力電力の調整を実現し、増幅後に前記Ｎ経路の調整信号における任意２経路の間の電力差の値を設定値より小さくする。
【００６０】
前記ＭＩＭＯアンテナアレイ７２９は、前記装置に集積できる。ＭＩＭＯアンテナアレイにおけるアレイ素子は複数のアンテナで実現でき、単一のアンテナに集積することで実現することもできる。
【００６１】
前記装置は、他の多入力多出力の信号伝送実現装置とともに同一の所定の同期信号源から同期信号を取得でき、具体的に、前記装置は更に、同期受信ユニット７２５を含み、
同期受信ユニット７２５は、他の多入力多出力の信号伝送実現装置が送信した同期信号を受信し、当該同期信号を利用して当該装置のアップリンク信号又はダウンリンク信号の処理を同期起動するために用いられる。
【００６２】
同期受信ユニット７２５は、具体的に、他の多入力多出力の信号伝送実現装置が送信した同期信号を受信して復調し、当該復調後の同期信号を利用して当該装置のアップリンク信号又はダウンリンク信号の処理を同期起動するために用いられる。
【００６３】
各経路の第１ミキサ回路７２１は、具体的に、前記同期信号を利用して、前記マルチバンド結合器から送信された１経路のダウンリンク信号に対しての復調を同期起動するために用いられる。
【００６４】
各経路の第２ミキサ回路７２３は、具体的に、前記同期信号を利用して、ＭＩＭＯアンテナアレイにおける１つのアレイ素子が送信したＮ経路の周波数が同じアップリンク信号における1経路のアップリンク信号に対しての変調を同期起動するために用いられる。
【００６５】
前記装置は、他の多入力多出力の信号伝送実現装置とともに同一の所定の局部発振信号源から局部発振信号を取得することができ、具体的に、前記装置はさらに局部発振受信ユニット７２６を含み、
局部発振受信ユニット７２６は、他の多入力多出力の信号伝送実現装置が送信した局部発振信号を受信し、当該局部発振信号を当該装置が信号変調及び復調を行う時の周波数の基準として用いる。
【００６６】
局部発振受信ユニット７２６は、具体的に、他の多入力多出力の信号伝送実現装置が送信した局部発振信号を受信し、当該局部発振信号をフィルタリングしてから増幅処理し、当該処理後の局部発振信号を当該装置が信号変調及び復調を行う時の周波数の基準として用いるためのものである。
【００６７】
各経路の第１ミキサ回路７２１は、具体的に、前記局部発振信号を信号復調を行う周波数の基準として用い、前記マルチバンド結合器から送信された１経路のダウンリンク信号を復調するために用いられる。
【００６８】
各経路の第２ミキサ回路７２３は、具体的に、前記局部発振信号を信号変調を行う周波数の基準として用いて、ＭＩＭＯアンテナアレイにおける１つのアレイ素子が送信したＮ経路の周波数が同じアップリンク信号における1経路のアップリンク信号を変調するために用いられる。
【００６９】
図７に示すように、本発明の実施例４の装置には、ＭＩＭＯアンテナアレイを内蔵することができ、内蔵されるＭＩＭＯアンテナアレイの装置の寸法は従来のＭＩＭＯアンテナの寸法に相当してもよく、もちろん、応用場面に応じて、図７の破線で示すように、ＭＩＭＯアンテナアレイは装置と独立して設置できる。
【００７０】
図７に示すように、アップリンク信号又はダウンリンク信号の処理を同期起動することは、アップ・ダウンリンク切替えスイッチ７２０（例えば、図６におけるアップ・ダウンリンク切替えスイッチ１０）で実現することができ、前記アップ・ダウンリンク切替えスイッチの設置は、図６又は図７に示すような２つのアップ・ダウンリンク切替えスイッチが一本の第１ミキサ回路と一本の第２ミキサ回路との間の切替えを制御することに限らず、２つのアップ・ダウンリンク切替えスイッチが全てのＮ本の第１ミキサ回路と全てのＮ本の第２ミキサ回路との間の切替えを制御する形態等になるように設置することもできる。
【００７１】
図８は、本発明の第３の実施例に係るＦＤＤ−ＬＴＥに基づく２経路のＭＩＭＯ信号伝送システムを示す構造ブロック図であり、説明の便宜のために、本実施例に関連する部分のみを示す。
【００７２】
本実施例では、本発明の第１の実施例のアクティブアクセスホスト及びアクティブアクセススレーブにおける周波数変換モジュールを、ＦＤＤ−ＬＴＥ技術に基づいて洗練させる。図８に示すように、前記システムはＦＤＤ−ＬＴＥアクティブアクセスホスト、分配システム及びＦＤＤ−ＬＴＥアクティブアクセススレーブを含む。そのうち、当該ＦＤＤ−ＬＴＥ屋内カバレッジシステムは、第１伝送線路及び第２伝送線路を有し、２経路のアップリンク・ダウンリンクの信号を同時に伝送でき、そのうち、第１伝送線路は、従来の屋内カバレッジシステム信号伝送経路、即ち「信号源側  ＜―＞  屋内分配システム  ＜―＞  屋内カバレッジアンテナ」の伝送経路であるが、第２伝送線路において、本実施例の屋内カバレッジシステムは、モジュールの中に相応する周波数変換処理を加えることで、それが伝送する信号と第１伝送線路で伝送する信号に対して物理的分離を行って、２経路の信号の同時入力及び同時出力を実現する。
【００７３】
具体的に、従来の分配システムを含む以外に、当該屋内カバレッジシステムは更に、
分配システムの一端と接続されるアクティブアクセスホストと、
分配システムの他端と接続され、従来の屋内カバレッジアンテナに取って替わるために用いられるアクティブアクセススレーブとを含み、アクティブアクセススレーブの取り付け寸法が従来の屋内カバレッジアンテナに相当して、システムの互換性を実現する。
【００７４】
アクティブアクセスホスト及びアクティブアクセススレーブには、いずれも第１伝送線路及び第２伝送線路を含む。アクティブアクセスホスト及びアクティブアクセススレーブは、２経路のアップ・ダウンリンク信号を並列伝送するために用いられ、ダウンリンク信号を伝送する時に、アクティブアクセスホストはそのうちの１経路のダウンリンク信号を周波数変換させ、屋内分配システムによってアクティブアクセススレーブに送信し、アクティブアクセススレーブは、当該ダウンリンク信号を周波数復元変換してから送信し、アップリンク信号を伝送する時に、アクティブアクセススレーブはそのうちの１経路のアップリンク信号を周波数変換させ、屋内分配システムによってアクティブアクセスホストに送信し、アクティブアクセスホストは当該アップリンク信号を周波数復元変換してからＲＲＵに送信する。
【００７５】
アクティブアクセスホストは、第１送受信ポート８１、第２送受信ポート８２、周波数変換モジュール８３及び第１結合分割フィルター８４を含み、そのうち、
第１送受信ポート８１及び第２送受信ポート８２は互いに独立し、それぞれ信号源端ＦＤＤ−ＬＴＥ  ＲＲＵポート１及びポート２からの２経路のダウンリンク信号を並列受信するために用いられ、ローカルからの２経路のアップリンク信号を信号源端の相応するＦＤＤ−ＬＴＥ  ＲＲＵポートに並列送信するために用いられる。
【００７６】
第１周波数変換モジュール８３は、第２送受信ポート８２と第１結合分割フィルター８４との間に接続され、第２伝送線路におけるダウンリンク信号を周波数変換させ、及び第２伝送線路におけるアップリンク信号を周波数復元、変換し、アクティブアクセスホストにおいて、並列する２経路のアップ・ダウンリンク信号が物理的に分離できるようにする。
【００７７】
第１送受信ポート８１は、直接に第１結合分割フィルター８４と接続され、第１結合分割フィルター８４は、並列伝送された２経路のダウンリンク信号を結合フィルタリングして分配システムに送信するために用いられ、更に分配システムからのアップリンク信号を分割フィルタリングして２経路のアップリンク信号を生成し、それぞれ第１周波数変換モジュール８３及び第１送受信ポート８１に送信するために用いられる。
【００７８】
アクティブアクセススレーブ（アクティブアンテナとも称する）は、第１アンテナ８７、第２アンテナ８８、第２周波数変換モジュール８５及び第２結合分割フィルター８６を含み、
第１アンテナ８７及び第２アンテナ８８は、互いに独立し、伝送しようとする２経路のダウンリンク信号をそれぞれ送信するために用いられ、アップリンク伝送を行う必要がある２経路の信号をそれぞれ受信するために用いられる。
【００７９】
第２周波数変換モジュール８６は、第２アンテナ８８と第２結合分割フィルター８５との間に接続され、第１周波数変換モジュール８３によって周波数変換された第２伝送線路におけるダウンリンク信号を周波数復元変換し、第２伝送線路におけるアップリンク信号を周波数変換し、アクティブアクセススレーブにおいて、並列する２経路のアップ・ダウンリンク信号が物理的に分離できるようにする。
【００８０】
第１アンテナ８７は、直接に第２結合分割フィルター８５と接続され、第２結合分割フィルター８５は、並列伝送された２経路のアップリンク信号を結合フィルタリングして分配システムに送信するために用いられ、更に分配システムからのダウンリンク信号を分割フィルタリングして２経路のダウンリンク信号を生成し、それぞれ第１アンテナ８７及び第２周波数変換モジュール８６に送信するために用いられる。
【００８１】
以下、アクティブアクセスホスト及びアクティブアクセススレーブの具体的構造について更に説明する。
アクティブアクセスホストの第１周波数変換モジュール８３は、第１周波数変換回路、第２周波数変換回路、及び第１周波数変換回路と第２周波数変換回路の両端に接続される第１、第２デュプレクサ８３１及び８３２を含む。ＦＤＤ−ＬＴＥが周波数分割二重モードで二重通信を行い、即ち、ＦＤＤ−ＬＴＥのアップ・ダウンリンク信号が異なるキャリア周波数を有するため、デュプレクサを利用してアップ・ダウンリンク信号を区別する。
【００８２】
第１増幅器８３３及び第１ミキサ回路８３４からなる第１周波数変換回路は、ダウンリンク信号を周波数変換して、第１伝送線路における２経路の並列するダウンリンク信号との物理的分離を実現するために用いられる。
【００８３】
第２周波数変換回路は、第２ミキサ回路８３６及び第２増幅器８３５からなり、フィーダー分配システムからの周波数変換を経た第２伝送線路におけるアップリンク信号を周波数復元、変換し、第２送受信ポート８２に伝送して送信させる。
【００８４】
第１デュプレクサ８３１及び第２デュプレクサ８３２は、それぞれ第１周波数変換回路及び第２周波数変換回路の両端に接続され、信号周波数に基づいてダウンリンク信号を第１周波数変換回路に送信し、アップリンク信号を第２周波数変換回路に送信するために用いられる。
【００８５】
同時に、アクティブアクセススレーブにおける第２周波数変換モジュールは、第３周波数変換回路、第４周波数変換回路、及び第３周波数変換回路と第４周波数変換回路の両端に接続される第３、第４デュプレクサ８６１及び８６２を含み、
第３周波数変換回路は、第３ミキサ回路８６４及び第３増幅器８６３からなり、第１周波数変換回路によって周波数変換されたダウンリンク信号を周波数復元変換し、第２アンテナ８８から外部に送信するために用いられる。
【００８６】
第４周波数変換回路は第１低雑音増幅器８６７、第４ミキサ回路８６６及び第４増幅器８６５からなり、第２アンテナ８８が受信したアップリンク信号を周波数変換することで、第１伝送線路において２経路の並列するアップリンク信号の物理的分離を実現するために用いられる。
【００８７】
第３デュプレクサ８６１及び第４デュプレクサ８６２は、それぞれ第３周波数変換回路及び第４周波数変換回路の両端に接続され、信号周波数に基づいてダウンリンク信号を第３周波数変換回路に送信し、アップリンク信号を第４周波数変換回路に送信するために用いられる。
【００８８】
図９は、本発明の第４の実施例に係るダウンリンクＭＩＭＯ信号伝送方法を示すフローチャートである。図９は、信号ダウンリンク伝送、即ち信号が基地局から基地局ＭＩＭＯアンテナアレイに伝送されることを例として説明し、図９に示すように、当該方法は以下のステップ９０１〜ステップ９０４を含む。
ステップ９０１では、Ｎ経路の周波数が同じ信号を変調する。
【００８９】
信号がダウンリンク伝送を行う時に、前記Ｎ経路の周波数が同じ信号は基地局から送信されてもよい。
【００９０】
本ステップの作動本体は各種の装置、例えば増幅器等であってもよい。具体的に、本ステップでは、Ｎ経路の周波数が同じ信号における少なくともＮ−１経路を変調でき、もちろん、Ｎ経路の周波数が同じ信号の全てに対して調整を行って、Ｎ経路の周波数が互いに異なる信号を取得することができる。前記Ｎは正整数で、且つＮは２以上である。
【００９１】
周波数変換技術は低電力信号で実現しなければならないため、結合器を利用して基地局から送信された少なくともＮ−１経路の周波数が同じ信号を減衰し、減衰後の信号の電力が周波数変換技術の要求を満たすようにする。もちろん、他の設備、例えば固定減衰器、調整可能減衰器等を利用して基地局から送信された少なくともＮ−１経路の周波数が同じ信号を減衰してもよく、減衰後の信号の電力が周波数変換技術の要求を満たすようにする。
【００９２】
好ましくは、信号を変調する時に信号の電力を一定に確保するために、信号を変調する前に、１段の増幅器を設置して信号を調整することによって変調時に信号の電力を一定に確保することができる。
【００９３】
ステップ９０２では、変調後のＮ経路の周波数が互いに異なる信号を同一のフィーダー分配システムに送信して伝送させる。
【００９４】
変調後のＮ経路の周波数が互いに異なる信号は、ステップ９０１においてＮ経路の周波数が同じ信号を変調して得られるＮ経路の周波数が互いに異なる信号であってもよい。ステップ９０１においてＮ−１経路の周波数が同じ信号を変調し、得られた変調されない１経路の信号及び変調後のＮ−１経路の信号であってもよい。もちろん、変調後のＮ−１経路の信号と変調されない１経路の信号は任意２つの周波数が互いに異なる。
【００９５】
変調後のＮ経路の信号の周波数が互いに異なるので、当該Ｎ経路の信号を結合してから同一のフィーダー分配システムによって伝送することができる。
【００９６】
ステップ９０３では、当該フィーダー分配システムによって伝送されたＮ経路の信号を復調する。
【００９７】
本ステップの作動本体は各種の装置、例えば増幅器等であってもよい。
【００９８】
フィーダー分配システムによって伝送されたＮ経路の信号をＭＩＭＯアンテナアレイにおけるＮ本のアレイ素子に送信する前に、ステップ９０１の変調方式に対応して、当該フィーダー分配システムによって伝送されたＮ経路の信号に対して復調操作を行う必要がある。
【００９９】
ステップ９０１においてＮ−１経路の信号を変調した場合、本ステップにおいて当該Ｎ−１経路の信号を復調し、復調して得られたＮ−１経路の信号及び変復調されない１経路の信号を復調後のＮ経路の信号とし、もちろん、復調後のＮ−１経路の信号と変復調されない１経路の信号は任意２つの周波数が互いに同じである。
【０１００】
復調の精度を確保し、周波数の誤差を減少するために、復調過程において変調過程と同じ局部発振信号を利用してもよい。具体的に、本発明の実施例では、変調操作を行う設備に局部発振ユニットを設置し、当該局部発振信号を周波数基準として周波数変換操作を行うことができる。また、局部発振ユニットが取得した局部発振信号を増幅、フィルタリングしてフィーダー分配システムのケーブルによって復調操作を行う設備に伝送され、復調操作を行う設備は受信された局部発振信号をフィルタリングして増幅処理し、当該局部発振信号を周波数基準として用いて周波数変換操作を行うことができる。
【０１０１】
ステップ９０４では、前記Ｎ経路の周波数が同じ信号をそれぞれＭＩＭＯアンテナアレイにおけるＮ本のアレイ素子に送信する。
【０１０２】
復調を通して、Ｎ経路の周波数が同じ信号を取得した後、前記Ｎ経路の周波数が同じ信号をそれぞれＭＩＭＯアンテナアレイにおけるＮ本のアレイ素子に送信する。これによって、１つのフィーダー分配システムを利用してＭＩＭＯアンテナシステムでの信号伝送を実現できる。
【０１０３】
好ましくは、ステップ９０３とステップ９０４との間に、更にステップ９０３’を含むことができる。
ステップ９０３’では、得られたＮ経路の周波数が同じ信号を増幅する。
【０１０４】
周波数変換技術は低電力信号で実現しなければならないため、ＭＩＭＯアンテナアレイにおけるＮ本のアレイ素子が受信する信号電力を確保するために、復調後の信号を増幅し、具体的に、Ｎ−１経路の信号を復調する時に、当該Ｎ−１経路の周波数変換を行って得られた周波数が同じ信号を増幅し、ステップ１０４において増幅後のＮ−１経路の信号及び増幅されない１経路の信号をそれぞれＭＩＭＯアンテナアレイにおけるＮ本のアレイ素子に送信することができる。
【０１０５】
本発明の第３の実施例の１つの補足として、アクティブアクセスホストにおいて更に局部発振信号発生器が設けられ、それが局部発振信号を発生した後に、アクティブアクセススレーブに送信して、アクティブアクセスホスト及びアクティブアクセススレーブにおけるミキサ回路が共同利用するようにし、従来方案においてアクティブアクセスホスト及びアクティブアクセススレーブにそれぞれ１つの局部発振発生器を設けることで引き起こされる周波数の差を避け、且つアクティブアクセススレーブの回路を大幅に簡素化させることができる。
【０１０６】
図１０は、本発明の第４の実施例のアップリンクＭＩＭＯ信号伝送方法を示すフローチャートであり、信号アップリンク伝送、即ち信号が基地局ＭＩＭＯアンテナアレイから基地局に伝送されることを例として説明し、図１０に示すように、当該方法は以下のステップ１００１〜ステップ１００４を含む。
ステップ１００１では、Ｎ経路の周波数が同じ信号を変調する。
【０１０７】
信号がアップリンク伝送を行う時に、前記Ｎ経路の周波数が同じ信号はＭＩＭＯアンテナアレイによって送信されてもよい。
【０１０８】
本ステップの作動主体は各種の装置、例えば増幅器等であってもよい。
【０１０９】
実施中に、変調しようとする信号の信号雑音比が要求に満たすことを確保するために、信号変調前に、１段の低雑音増幅器を設置してもよい。
【０１１０】
具体的な変調操作は実施例１のステップ９０１と類似しているので、ここでは贅言しないこととする。
【０１１１】
ステップ１００２では、変調後のＮ経路の周波数が互いに異なる信号を同一のフィーダー分配システムに送信して伝送させる。
【０１１２】
信号がアップリンク伝送される過程において、変調後のＮ経路の周波数が互いに異なる信号の電力バランスを確保するために、信号を結合して同一のフィーダー分配システムに送信して伝送させる前に、限定されるゲイン範囲内にゲイン調整で出力電力の調整を実現し、前記Ｎ経路の信号の電力の任意２つの値の差が設定値より小さくする。具体的に、本発明の実施例では、前記設定値が２ｄＢに達せる。
【０１１３】
ステップ１００３では、当該フィーダー分配システムによって伝送されたＮ経路の信号を復調する。
【０１１４】
本ステップの作動本体は各種の装置、例えば増幅器等であってもよい。
【０１１５】
具体的な復調操作は実施例２のステップ１００３と類似しているので、ここでは贅言しないこととする。
【０１１６】
ステップ１００４では、前記Ｎ経路の周波数が同じ信号をそれぞれ基地局に送信する。
【０１１７】
好ましくは、ステップ１００３とステップ１００４と間に、更にステップ１００３’を含んでもよく、
ステップ１００３’では、得られたＮ経路の周波数が同じ信号を増幅する。
【０１１８】
ステップ１００３’の具体的な内容がそれぞれ対応する実施例１のステップ９０３’と類似しているので、ここでは贅言しないこととする。
【０１１９】
第４の実施例に係る方法は、ＴＤ−ＬＴＥシステムに適用するだけではなくＦＤＤ−ＬＴＥシステム又は他のＭＩＭＯ技術を利用して屋内分配を行うことができる無線通信システムにも適用できる。ＴＤ−ＬＴＥシステムは、同期信号で制御して対応するアップリンク又はダウンリンク処理チャンネルに切替えて処理することができる。ＦＤＤ−ＬＴＥシステムは、デュプレクサを利用して周波数でアップリンク及びダウンリンク信号を自動的に分離することができる。本発明の明細書で言及される変調・復調は、信号に対して周波数変換及び周波数逆変換を行うこと、即ち、信号キャリア周波数を元の周波数から異なる周波数に変換すること、及び信号キャリア周波数を変換後の周波数から元の周波数に復元することを指す。
【０１２０】
本発明の実施例は、ＬＴＥネットワークに基づいて、従来の屋内カバレッジシステムにアクティブアクセスホストを増設し、従来の屋内カバレッジアンテナをアクティブアクセススレーブに取り換えることにより、従来の屋内カバレッジシステムの配線を何の変更を行わずに、簡単、便利にＦＤＤ−ＬＴＥ及びＴＤ−ＬＴＥのＭＩＭＯ技術を実現し、ＬＴＥ技術の優位性を十分に発揮する。また、屋内信号分配の品質を大幅に向上させ、構築コストを低減させる。
【０１２１】
上記は本発明の好ましい実施例に過ぎず、本発明を限定するものではなく、当業者にとって、本発明はさまざまな修正又は変更することが可能である。本発明の趣旨と原理を逸脱せずに行う任意の変更、等価置換、改良等は、いずれも本発明の保護範囲に含まれる。
【図１】
2014520492.tif 000003
【図２】
2014520492.tif 000004
【図３】
2014520492.tif 000005
【図４】
2014520492.tif 000006
【図５】
2014520492.tif 000007
【図６】
2014520492.tif 000008
【図７】
2014520492.tif 000009
【図８】
2014520492.tif 000010
【図９】
2014520492.tif 000011
【図１０】
2014520492.tif 000012
【手続補正書】
【提出日】平成25年12月26日(2013.12.26)
【手続補正１】
【補正対象書類名】特許請求の範囲
【補正対象項目名】全文
【補正方法】変更
【補正の内容】
【特許請求の範囲】
【請求項１】
多入力多出力信号伝送方法であって、
Ｎ経路の周波数が同じダウンリンク信号をＮ経路の周波数が互いに異なるダウンリンク信号に変調すること、及び
変調後のＮ経路の周波数が互いに異なるダウンリンク信号を結合した後、同一のフィーダー分配システムに送信して伝送させることを含み、
前記Ｎは正整数で、且つＮは２以上であり、
フィーダー分配システムによって伝送された前記Ｎ経路の周波数が互いに異なるダウンリンク信号を分割した後、Ｎ経路の周波数が同じ信号に復調し、前記Ｎ経路の周波数が同じ信号をそれぞれ多入力多出力ＭＩＭＯアンテナアレイにおけるＮ個のアレイ素子に送信して外部に送信させることを更に含み、
前記ダウンリンク信号は、ＬＴＥダウンリンク信号であり、前記Ｎ経路の周波数が同じダウンリンク信号をＮ経路の周波数が互いに異なるダウンリンク信号に変調することは、
所定の同期信号源から取得される同期信号に従って、基地局から送信されるＮ経路の周波数が同じダウンリンク信号の、Ｎ経路の周波数が互いに異なるダウンリンク信号への変調を同期起動することを含むことを特徴とする多入力多出力信号伝送方法。
【請求項２】
多入力多出力信号伝送方法であって、
多入力多出力ＭＩＭＯアンテナアレイにおけるＮ本のアレイ素子がそれぞれ送信したＮ経路の周波数が同じアップリンク信号を受信すること、
受信されたＮ経路の周波数が同じアップリンク信号をＮ経路の周波数が互いに異なるアップリンク信号に変調すること、  
変調後のＮ経路の周波数が互いに異なるアップリンク信号を結合した後、同一のフィーダー分配システムに送信して伝送させること、
同一のフィーダー分配システムによって伝送された周波数が互いに異なるＮ経路のアップリンク信号を受信すること、及び
受信された周波数が互いに異なるＮ経路のアップリンク信号を分割した後、Ｎ経路の周波数が同じ信号に復調し、前記Ｎ経路の周波数が同じ信号をそれぞれ基地局に送信することを含み、
前記Ｎは正整数で、且つＮは２以上であることを特徴とする多入力多出力信号伝送方法。
【請求項３】
多入力多出力信号伝送装置であって、少なくともＮ−１経路の第１ミキサ回路及び１つのマルチバンド結合器を含み、そのうち、
各経路の第１ミキサ回路は、それぞれ基地局が送信したＮ経路の周波数が同じダウンリンク信号における1経路を変調するために用いられ、異なる第１ミキサ回路によって変調されて得られるＮ経路のダウンリンク信号の周波数が互いに異なり、
マルチバンド結合器は、前記少なくともＮ−１経路の第１ミキサ回路によって変調されて得られるＮ経路の周波数が互いに異なるダウンリンク信号を結合した後、同一のフィーダー分配システムに送信して伝送させるために用いられ、
前記Ｎは正整数で、且つＮは２以上であることを特徴とする多入力多出力信号伝送装置。
【請求項４】
前記ダウンリンク信号は、ＬＴＥダウンリンク信号であり、当該装置は更に、１つの同期ユニットを含み、
前記同期ユニットは所定の同期信号源から同期信号を取得するために用いられ、
各経路の第１ミキサ回路は、それぞれ前記同期信号に従って、基地局が送信したＮ経路の周波数が同じダウンリンク信号における1経路に対する変調を同期起動するために用いられることを特徴とする請求項３に記載の装置。
【請求項５】
多入力多出力信号伝送装置であって、少なくともＮ−１経路の第１ミキサ回路及び１つのマルチバンド結合器を含み、そのうち、
マルチバンド結合器は、同一のフィーダー分配システムによって伝送するＮ経路の周波数が互いに異なるダウンリンク信号を受信し、受信されたＮ経路の周波数が互いに異なるダウンリンク信号を分割し、分割後のＮ経路の周波数が互いに異なるダウンリンク信号における少なくともＮ−１経路のダウンリンク信号をそれぞれ前記少なくともＮ−１経路の第１ミキサ回路における異なる第１ミキサ回路に対応して送信するために用いられ、
各経路の第１ミキサ回路は、前記マルチバンド結合器から送信された１経路のダウンリンク信号を復調し、復調後のダウンリンク信号を多入力多出力ＭＩＭＯアンテナアレイにおける１つのアレイ素子にアクセスさせるために用いられ、異なる第１ミキサ回路によって復調されて得られるＮ経路のダウンリンク信号の周波数が同じであり、
前記Ｎは正整数で、且つＮは２以上であることを特徴とする多入力多出力信号伝送装置。
【請求項６】
多入力多出力信号伝送装置であって、少なくともＮ−１経路の第２ミキサ回路及び１つのマルチバンド結合器を含み、そのうち、
各経路の第２ミキサ回路は、ＭＩＭＯアンテナアレイにおける１つのアレイ素子が送信したＮ経路の周波数が同じアップリンク信号における1経路のアップリンク信号を変調するために用いられ、異なる第２ミキサ回路によって変調されて得られるＮ経路のアップリンク信号の周波数が互いに異なり、
マルチバンド結合器は、前記少なくともＮ−１経路の第２ミキサ回路によって変調されて得られるＮ経路の周波数が互いに異なるアップリンク信号を結合した後、同一のフィーダー分配システムに送信して伝送させるために用いられ、
前記Ｎは正整数で、且つＮは２以上であることを特徴とする多入力多出力の信号伝送装置。
【請求項７】
前記装置は更に、少なくともＮ−１個の第２電力増幅器を含み、各経路の第２ミキサ回路が１つの第２電力増幅器によってマルチバンド結合器と接続され、
各々の第２電力増幅器は、自身に接続される第２ミキサ回路によって変調されて得られるアップリンク信号を増幅するために用いられ、異なる第２電力増幅器によってそれぞれ増幅されて得られるＮ経路の周波数が互いに異なるアップリンク信号における任意２経路のアップリンク信号間の電力値の差が設定値より小さく、
マルチバンド結合器は、前記少なくともＮ−１経路の第２電力増幅器によって増幅されて得られるＮ経路の周波数が互いに異なるアップリンク信号を結合した後、同一のフィーダー分配システムに送信して伝送させるために用いられることを特徴とする請求項６に記載の装置。
【請求項８】
多入力多出力信号伝送装置であって、Ｎ−１経路のホスト周波数変換モジュール及び１つのマルチバンド結合分割器を含み、
前記ホスト周波数変換モジュールは、ＲＲＵポートに対応して入力するダウンリンク信号を他の各経路の信号の周波数と互いに異なる信号に周波数変換して、マルチバンド結合分割器に送信するとともに、マルチバンド結合分割器からの、他の各経路のアップリンク信号の周波数と互いに異なるアップリンク信号を周波数が同じ信号に周波数復元変換してＲＲＵポートに送信するために用いられ、
そのうち、異なるホスト周波数変換モジュールは、異なる周波数変換の周波数に対応し、それが出力する周波数変換した後のダウンリンク信号が互いに異なる周波数を有し、それが処理するアップリンク信号が互いに異なる周波数を有し、
前記マルチバンド結合分割器は、Ｎ−１経路の周波数が互いに異なるダウンリンク信号及び周波数変換されないダウンリンク信号を１経路の信号に結合してフィーダー分配システムに入力してアクティブアクセススレーブに伝送させるとともに、フィーダー分配システムからのアップリンク信号を周波数で分割してから対応するホスト周波数変換モジュールに出力して処理させるために用いられ、
前記Ｎは正整数で、且つＮは２以上であることを特徴とする多入力多出力信号伝送装置。
【請求項９】
多入力多出力信号伝送装置であって、マルチバンド結合分割器、Ｎ−１経路のスレーブ周波数変換モジュール及びＮ経路のアンテナを含み、
そのうち、各スレーブ周波数変換モジュールは異なる信号周波数に対応し、
マルチバンド結合分割器は、フィーダー分配システムからの信号を周波数で分割してから対応するスレーブ周波数変換モジュールに出力して処理させるとともに、Ｎ−１経路のスレーブ周波数変換モジュール及びアンテナからの異なる周波数を有する1経路のアップリンク信号を1経路に結合してＲＦ分配システムに出力して伝送させるために用いられ、
スレーブ周波数変換モジュールは、マルチバンド結合分割器からの他の各経路の信号周波数と異なるダウンリンク信号を周波数が同じダウンリンク信号送信周波数に周波数復元変換してアンテナに送信させるとともに、更にアンテナが受信した同じ周波数を有するアッリンク信号を対応する他の各経路の信号と異なる周波数を有するアップリンク信号に周波数変換してマルチバンド結合分割器に出力して結合させるために用いられ、
前記Ｎは正整数で、且つＮは２以上であることを特徴とする多入力多出力信号伝送装置。
【請求項１０】
前記スレーブ周波数変換モジュールは第３周波数変換回路、第４周波数変換回路、及び第３周波数変換回路と第４周波数変換回路の両端に接続される第３、第４アップ・ダウンリンク信号分離装置を含み、
前記第３周波数変換回路は、第３ミキサ回路及び第３増幅器を含み、ダウンリンク信号を周波数復元変換するために用いられ、
前記第４周波数変換回路は、低雑音増幅器、第４ミキサ回路及び第４増幅器を含み、アンテナアレイ素子に対応して受信するアップリンク信号に対して周波数変換を行うために用いられ、
前記第３、第４アップ・ダウンリンク信号分離装置はダウンリンク信号を第３周波数変換回路に伝送して出力し、アップリンク信号を第４周波数変換回路に伝送して出力するために用いられることを特徴とする請求項９に記載の装置。
【国際調査報告】
2014520492.tif 000013
2014520492.tif 000014
2014520492.tif 000015
2014520492.tif 000016